(57)【要約】【課題】  ワイヤハーネスの片寄りをなくすとともに部品点数の削減を図り、さらにはガタつきのない状態で平型コルゲートチューブを固定することが可能な平型コルゲートチューブ用ホルダーを提供する。また、ワイヤハーネス配索構造も併せて提供する。【解決手段】  平型コルゲートチューブ２２の内側且つ取付対象２３側の内周面３４に沿って配設される内側構成部材２４と、平型コルゲートチューブ２２の外側且つ取付対象２３反対側の外周面３９に沿って配設される外側構成部材２５と、スリット３１に差し込まれて内側構成部材２４と外側構成部材２５とを連結する連結部２６と、内側構成部材２４に設けられてワイヤハーネスを整列させることが複数のハーネス整列部３７と、外側構成部材２５に設けられる固定手段２７と、を備えて平型コルゲートチューブ用ホルダー２１を構成する。【選択図】    図１
2005192293.tif 000002
【特許請求の範囲】
【請求項１】
内側にワイヤハーネスを挿通するための空間とチューブ長手方向に形成されるスリットとを有する断面長円形の平型コルゲートチューブを取付対象に固定するためのホルダーであって、
前記平型コルゲートチューブの前記内側且つ前記取付対象側の内周面に沿って配設される内側構成部材と、
前記平型コルゲートチューブの外側且つ前記取付対象反対側の外周面に沿って配設される外側構成部材と、
前記スリットに差し込まれて前記内側構成部材と前記外側構成部材とを連結する連結部と、
前記内側構成部材に設けられて前記ワイヤハーネスを整列させることが可能な一又は複数のハーネス整列部と、
前記外側構成部材に設けられる固定手段と、
を備えた
ことを特徴とする平型コルゲートチューブ用ホルダー。
【請求項２】
請求項１に記載の平型コルゲートチューブ用ホルダーにおいて、
前記チューブ長手方向にのびる片状部を前記内側構成部材及び／又は前記外側構成部材に一体形成した
ことを特徴とする平型コルゲートチューブ用ホルダー。
【請求項３】
請求項１又は請求項２に記載の平型コルゲートチューブ用ホルダーにおいて、
前記外側構成部材に連結され且つ前記取付対象側の前記外周面に配設される第二外側構成部材をさらに備えた
ことを特徴とする平型コルゲートチューブ用ホルダー。
【請求項４】
請求項１ないし請求項３いずれか記載の平型コルゲートチューブ用ホルダーを少なくとも二つ平型コルゲートチューブに設けて取付対象に固定した
ことを特徴とするワイヤハーネス配索構造。
【発明の詳細な説明】
【技術分野】
【０００１】
本発明は、内側にワイヤハーネスを挿通した断面長円形の平型コルゲートチューブを取付対象に固定するための平型コルゲートチューブ用ホルダーと、その平型コルゲートチューブ用ホルダーを平型コルゲートチューブに取り付けてなされるワイヤハーネス配索構造とに関する。
【背景技術】
【０００２】
従来の平型コルゲートチューブ用ホルダーとしては、下記特許文献１に開示された技術が知られている。すなわち、図８に示されるように、従来の平型コルゲートチューブ用ホルダー１３１は、下側の受け部１３２と、上側の蓋部１３３と、平型コルゲートチューブ１３４を保持した状態で受け部１３２及び蓋部１３３の間に回動自在に保持される回動部材１３５とを備えて構成されている。
【０００３】
受け部１３２には、回動部材１３５に対する収容部１３６が形成されている。また、受け部１３２には、蓋部１３３に対する一対の係止突起１３７（一方のみ図示）と、図示しない取付対象の孔に挿入されて係合する係止クリップ１３８とが一体に形成されている。
【０００４】
蓋部１３３には、受け部１３２と同様、回動部材１３５に対する収容部１３９が形成されている。また、蓋部１３３には、係止突起１３７に対する係合枠片１４０、１４０が形成されている。
【０００５】
回動部材１３５は、略半円状の一対の分割部材１４１、１４１を備えて構成されている。分割部材１４１、１４１は、平型コルゲートチューブ１３４を挟み込んで合体すると、真円形状になるように形成されている。各分割部材１４１には、対応する収容部１３６、１３９の摺接溝１４２に対して摺接する突条１４３が形成されている。
【０００６】
上記構成において、受け部１３２と蓋部１３３とを上下方向から各係合枠片１４０と各係止突起１３７とが係止されるように嵌合させると、平型コルゲートチューブ１３４が回動部材１３５に保持された状態で平型コルゲートチューブ用ホルダー１３１によって周方向に回動自在、且つ長手方向に移動不能に保持される。
【特許文献１】特開２００２−１９９５５８号公報  （第５−６頁、第１図、第３図）
【発明の開示】
【発明が解決しようとする課題】
【０００７】
ところで、上記従来技術にあっては、平型コルゲートチューブ１３４の内部においてワイヤハーネスの位置が片寄ったりするという問題点や、部品点数が多いという問題点が生じていた。
【０００８】
また、上記従来技術にあっては、平型コルゲートチューブ１３４を周方向に回動自在に支持することを目的としていることから、実際には多少の遊びの部分を設ける必要があり、平型コルゲートチューブ１３４を押さえ付けた状態に固定することはできなかった。そのため、ガタつきの発生を防止したい箇所への取り付けは不向きな構造になっていた。
【０００９】
本発明は、上述した事情に鑑みてなされるもので、ワイヤハーネスの片寄りをなくすとともに部品点数の削減を図り、さらにはガタつきのない状態で平型コルゲートチューブを固定することが可能な平型コルゲートチューブ用ホルダーを提供することを課題とする。また、平型コルゲートチューブを用いてワイヤハーネスの配索がなされることから、ワイヤハーネス配索構造も併せて提供することを課題とする。
【課題を解決するための手段】
【００１０】
上記課題を解決するためなされた請求項１記載の本発明の平型コルゲートチューブ用ホルダーは、内側にワイヤハーネスを挿通するための空間とチューブ長手方向に形成されるスリットとを有する断面長円形の平型コルゲートチューブを取付対象に固定するためのホルダーであって、前記平型コルゲートチューブの前記内側且つ前記取付対象側の内周面に沿って配設される内側構成部材と、前記平型コルゲートチューブの外側且つ前記取付対象反対側の外周面に沿って配設される外側構成部材と、前記スリットに差し込まれて前記内側構成部材と前記外側構成部材とを連結する連結部と、前記内側構成部材に設けられて前記ワイヤハーネスを整列させることが可能な一又は複数のハーネス整列部と、前記外側構成部材に設けられる固定手段と、を備えたことを特徴としている。
【００１１】
請求項２記載の本発明の平型コルゲートチューブ用ホルダーは、請求項１に記載の平型コルゲートチューブ用ホルダーにおいて、前記チューブ長手方向にのびる片状部を前記内側構成部材及び／又は前記外側構成部材に一体形成したことを特徴としている。
【００１２】
請求項３記載の本発明の平型コルゲートチューブ用ホルダーは、請求項１又は請求項２に記載の平型コルゲートチューブ用ホルダーにおいて、前記外側構成部材に連結され且つ前記取付対象側の前記外周面に配設される第二外側構成部材をさらに備えたことを特徴としている。
【００１３】
請求項４記載の本発明のワイヤハーネス配索構造は、請求項１ないし請求項３いずれか記載の平型コルゲートチューブ用ホルダーを少なくとも二つ平型コルゲートチューブに設けて取付対象に固定したことを特徴としている。
【００１４】
尚、上記手段の具体的な作用については、発明を実施するための最良の形態の欄で詳細に説明するので、ここでは省略する。
【発明の効果】
【００１５】
請求項１に記載された本発明によれば、内側構成部材と外側構成部材と連結部とハーネス整列部と固定手段とを備えることにより、ワイヤハーネスの片寄りをなくすとともに部品点数の削減を図ることができるという効果を奏する。また、平型コルゲートチューブを押さえ付けた状態に固定することから、ガタつきなく平型コルゲートチューブを固定することができるという効果を奏する。
【００１６】
請求項２に記載された本発明によれば、片状部を有することから、平型コルゲートチューブの端部から引き出したワイヤハーネスをテープ巻きで固定する部分として利用することができたり、平型コルゲートチューブを押さえ付ける面を増やしたりすることができるという効果を奏する。
【００１７】
請求項３に記載された本発明によれば、平型コルゲートチューブと取付対象との間に第二外側構成部材が介在するようになることから、平型コルゲートチューブの押さえ付け状態をよりよくすることができるという効果を奏する。
【００１８】
請求項４に記載された本発明によれば、よりよいワイヤハーネス配索構造を提供することができるという効果を奏する。
【発明を実施するための最良の形態】
【００１９】
以下、図面を参照しながら説明する。
図１は本発明の平型コルゲートチューブ用ホルダーの一実施の形態を示す斜視図である。また、図２は正面図、図３は展開図である。
【００２０】
図１ないし図３において、引用符号２１は断面長円形の平型コルゲートチューブ２２を例えば自動車のパネルのような取付対象２３に対して固定するための本発明の平型コルゲートチューブ用ホルダーを示している。その平型コルゲートチューブ用ホルダー２１は、合成樹脂製であって、内側構成部材２４と外側構成部材２５と連結部２６と固定手段２７、２７とを備えて構成されている。また、平型コルゲートチューブ用ホルダー２１は、上記の各構成が一体となるように成形されている。すなわち、平型コルゲートチューブ用ホルダー２１は、一つの部品として構成されるように成形されている。以下、各構成について詳細に説明する。
【００２１】
上記平型コルゲートチューブ２２は、合成樹脂製の既知の部材であって、上述の如く断面長円形となるように形成されている。このような平型コルゲートチューブ２２には、周方向の凹溝２８と凸条２９とが交互に等ピッチでチューブ長手方向に複数形成されている。平型コルゲートチューブ２２の内側には、図示しない既知のワイヤハーネスを挿通するための空間３０が形成されている。また、平型コルゲートチューブ２２の側部には、チューブ長手方向にのびるスリット３１が形成されている。尚、平型コルゲートチューブ２２における引用符号３２は湾曲面部、３３は平坦面部を示している。
【００２２】
上記内側構成部材２４は、平型コルゲートチューブ２２の上記空間３０に存する部分であって、取付対象２３側の内周面３４に沿って配設されるように形成されている。内側構成部材２４は、図示のような半長円形の板状に形成されており、平型コルゲートチューブ２２の湾曲面部３２に沿って配設されるホルダー側湾曲面部３５、３５と、そのホルダー側湾曲面部３５、３５の間に形成されるホルダー側平坦面部３６とを有している。
【００２３】
ホルダー側平坦面部３６には、図示しないワイヤハーネスを整列させるための突起状のハーネス整列部３７が複数形成されている。また、ホルダー側平坦面部３６には、上記チューブ長手方向に一致する方向にのびる片状部３８、３８が一体に形成されている。ハーネス整列部３７は、内側構成部材２４の内周方向に所定のピッチで配設されている（本形態においては、櫛歯状となるように三つ横一列に並んで配設されている。数及び配置はこの限りでないものとする）。片状部３８、３８は、平型コルゲートチューブ２２の端部から引き出された図示しないワイヤハーネスをテープ巻きで固定するための部分として利用することができたり、平型コルゲートチューブ２２を押さえ付けるための面を増やしたりすることができる部分として形成されている（片状部３８、３８の設定は任意であるものとする）。
【００２４】
内側構成部材２４は、本形態において、ホルダー側湾曲面部３５、３５、ホルダー側平坦面部３６、ハーネス整列部３７、及び片状部３８、３８で構成されており、その一方の面が内周面３４に接触するとともに、他方の面が図示しないワイヤハーネスに接触するように形成されている。
【００２５】
尚、内側構成部材２４は、本形態において、スリット３１の位置からそのスリット３１が対向する反対側の位置まで内周面３４に沿う半長円形の板状に形成されているが、この限りでないものとする。内側構成部材２４は、内周方向（円弧方向）に長かったり短かったりしてもよいものとする。また、内側構成部材２４の上記チューブ長手方向に一致する方向の長さは、保持力を鑑みながら適宜長さに設定してよいものとする。さらに、内側構成部材２４には、重量及びコスト低減用の貫通孔を複数形成してもよいものとする。
【００２６】
上記外側構成部材２５は、平型コルゲートチューブ２２の外側に存する部分であって、取付対象２３の反対側の外周面３９に沿って配設されるように形成されている。外側構成部材２５は、図示のような半長円形の板状に形成されており、平型コルゲートチューブ２２の湾曲面部３２に沿って配設されるホルダー側湾曲面部４０、４０と、そのホルダー側湾曲面部４０、４０の間に形成されるホルダー側平坦面部４１とを有している。
【００２７】
ホルダー側平坦面部４１には、上記チューブ長手方向に一致する方向にのびる片状部４２、４２が一体に形成されている。その片状部４２、４２は、平型コルゲートチューブ２２の端部から引き出された図示しないワイヤハーネスをテープ巻きで固定するための部分として利用することができたり、平型コルゲートチューブ２２を押さえ付けるための面を増やしたりすることができる部分として形成されている（片状部４２、４２の設定は任意であるものとする）。
【００２８】
外側構成部材２５は、本形態において、ホルダー側湾曲面部４０、４０、ホルダー側平坦面部４１、及び片状部４２、４２で構成されており、その一方の面が外周面３９に接触するとともに、他方の面が外部に露出するように形成されている。また、外側構成部材２５は、スリット３１の位置からそのスリット３１が対向する反対側の位置まで外周面３９に沿うように形成されている。このような外側構成部材２５の上記チューブ長手方向に一致する方向の長さは、保持力を鑑みながら適宜長さに設定されている。尚、外側構成部材２５には、重量及びコスト低減用の貫通孔を複数形成してもよいものとする。
【００２９】
上記連結部２６は、スリット３１に差し込まれて内側構成部材２４と外側構成部材２５とを連結する部分であって、スリット差込部４３とヒンジ４４、４４とを有している。スリット差込部４３は、その一端が内側構成部材２４のホルダー側湾曲面部３５の一端に対して一体となる板状に形成されている。ヒンジ４４、４４は、スリット差込部４３の他端に連成されている。ヒンジ４４、４４は、平型コルゲートチューブ用ホルダー２１の展開形状において、固定手段２７、２７の一方を避けるように配置形成されている。
【００３０】
上記固定手段２７、２７は、取付対象２３に形成される固定部４５、４５に対して固定を行う部分であって、例えばネジ止め部４６、４６とアーム部４７、４７とを有して外側構成部材２５のホルダー側湾曲面部４０、４０にそれぞれ一体となるように設けられている。固定手段２７、２７は、外側構成部材２５のホルダー側湾曲面部４０、４０の各端部中央からアーム部４７、４７がのびてその先端にネジ止め部４６、４６が連続するように形成されている。尚、ネジ止め部４６、４６に替えて従来例のような係止クリップを設けたり、図４に示されるような支柱４６′ａと係止クリップ４６′ｂとを設けたりしてもよいものとする（支柱４６′ａは取付対象２３′まで伸び、その先端に取付対象２３′の図示しない孔に係止される係止クリップ４６′ｂを設ける）。また、アーム部４７、４７の設定は任意であるものとする（上記各端部中央に直接ネジ止め部４６、４６を設けてもよいものとする）。固定手段２７、２７は、二つに限らないものとする。
【００３１】
上記構成において、連結部２６のスリット差込部４３をスリット３１に差し込みつつ内側構成部材２４を平型コルゲートチューブ２２の取付対象２３側の内周面３４に沿って配設した後、連結部２６のヒンジ４４、４４を折り曲げて外側構成部材２５を平型コルゲートチューブ２２の取付対象２３の反対側の外周面３９に沿って配設すると、平型コルゲートチューブ用ホルダー２１の平型コルゲートチューブ２２に対する取り付けが完了する（特に図示しないが、他の平型コルゲートチューブ用ホルダー２１も同様に平型コルゲートチューブ２２の他の箇所に取り付ける）。図示しないワイヤハーネスは、ハーネス整列部３７により片寄りなく整列される。
【００３２】
そして、固定手段２７、２７を介して取付対象２３の固定部４５、４５にネジ止め固定を行うと、平型コルゲートチューブ２２の固定とともに図示しないワイヤハーネスの配索が完了する。平型コルゲートチューブ２２は、平型コルゲートチューブ用ホルダー２１の内側構成部材２４と外側構成部材２５とにより取付対象２３に押し付けられて、ガタつきなく固定される。
【００３３】
次に、図５ないし図７を参照しながら本発明による平型コルゲートチューブ用ホルダーの他の一実施の形態を説明する。図５は他の一実施の形態を示す斜視図、図６は正面図、図７は展開図である。
【００３４】
図５ないし図７において、引用符号２１′で示される平型コルゲートチューブ用ホルダーは、上述の平型コルゲートチューブ用ホルダー２１に対して次の点が異なっている。すなわち、外側構成部材２５のホルダー側湾曲面部４０には、第二外側構成部材４８がヒンジ４９、４９を介して連成されており、その第二外側構成部材４８とヒンジ４９、４９とが存在する点が異なっている。
【００３５】
第二外側構成部材４８は、取付対象２３側の外周面３９に沿って配設される部分であって、コルゲートチューブ２２の押さえ付け状態をよりよくするために設けられている。第二外側構成部材４８は、コルゲートチューブ２２の湾曲面部３２に沿って配設されるホルダー側湾曲面部５０、５１と、そのホルダー側湾曲面部５０、５１の間に形成されるホルダー側平坦面部５２とを有している。
【００３６】
以上、図１ないし図７を参照しながら説明してきたように、内側構成部材と外側構成部材と連結部とハーネス整列部と固定手段とを備えることにより、ワイヤハーネスの片寄りをなくすとともに部品点数の削減を図ることができる。また、平型コルゲートチューブを押さえ付けた状態に固定することから、ガタつきなくその平型コルゲートチューブを固定することができる。
【００３７】
その他、本発明は本発明の主旨を変えない範囲で種々変更実施可能なことは勿論である。
【図面の簡単な説明】
【００３８】
【図１】本発明による平型コルゲートチューブ用ホルダーの一実施の形態を示す斜視図である。
【図２】平型コルゲートチューブ用ホルダーの正面図である。
【図３】平型コルゲートチューブ用ホルダーの展開図である。
【図４】固定手段の他の例を示すコルゲートチューブ用ホルダーの正面図である。
【図５】本発明による平型コルゲートチューブ用ホルダーの他の一実施の形態を示す斜視図である。
【図６】図５の平型コルゲートチューブ用ホルダーの正面図である。
【図７】図５の平型コルゲートチューブ用ホルダーの展開図である。
【図８】従来例の平型コルゲートチューブ用ホルダーの分解斜視図である。
【符号の説明】
【００３９】
２１、２１′  コルゲートチューブ用ホルダー
２２  コルゲートチューブ
２３  取付対象
２４  内側構成部材
２５  外側構成部材
２６  連結部
２７  固定手段
２８  凹溝
２９  凸条
３０  空間
３１  スリット
３２  湾曲面部
３３  平坦面部
３４  内周面
３５  ホルダー側湾曲面部
３６  ホルダー側平坦面部
３７  ハーネス整列部
３８  片状部
３９  外周面
４０  ホルダー側湾曲面部
４１  ホルダー側平坦面部
４２  片状部
４３  スリット差込部
４４  ヒンジ
４５  固定部
４６  ネジ止め部
４６′ａ  支柱
４６′ｂ  係止クリップ
４７  アーム部
４８  第二外側構成部材
４９  ヒンジ
５０、５１  ホルダー側湾曲面部
５２  ホルダー側平坦面部
【図１】
2005192293.tif 000003
【図２】
2005192293.tif 000004
【図３】
2005192293.tif 000005
【図４】
2005192293.tif 000006
【図５】
2005192293.tif 000007
【図６】
2005192293.tif 000008
【図７】
2005192293.tif 000009
【図８】
2005192293.tif 000010